(57)【要約】【課題】無理のない体勢で、見やすく、使いやすい便座用検査鏡、及び同検査鏡を備えた便座装置を提供する。【解決手段】本発明に係る便座用検査鏡５は、洋風便器の便蓋４への取り付け手段１０を備え、便蓋４に取り付けて使用する検査鏡であって、便座３が定位置で便蓋４が開状態起立時に、便蓋４の裏面に取り付けられた、鏡体８を有する鏡板７を、上部の係止部１２を外して、鏡板７下部の回動支点１１を中心に面方向に下方へ回動させると、鏡板７の前端拡幅部９が便座３の左右両翼に載置され、鏡体８が前方に傾斜する上向きに設置される。【選択図】図１
2019195388.tif 000002
【特許請求の範囲】
【請求項１】
洋風便器の便蓋への取り付け手段を備え、便蓋に取り付けて使用する検査鏡であって、便座が定位置で便蓋が開状態起立時に、便蓋の裏面に取り付けられた、鏡体を有する鏡板を、上部の係止部を外して、該鏡板下部の回動支点を中心に面方向に下方へ回動させると、該鏡板の前端拡幅部が便座の左右両翼に載置され、前記鏡体が前方に傾斜する上向きに設置される便座用検査鏡。
【請求項２】
前記鏡板は、弾性合成樹脂板に、前記鏡体としての弾性合成樹脂鏡、又はフィルム鏡を貼着した、若しくは弾性合成樹脂板に、蒸着にて前記鏡体を設けた該鏡板である、請求項１に記載の便座用検査鏡。
【請求項３】
請求項１又は２に記載の便座用検査鏡の、前記回動支点を軸支構造として、その軸側又は軸受側の部材を便蓋と一体にして便座用検査鏡を取り付けた便座装置。
【発明の詳細な説明】
【技術分野】
【０００１】
本発明は、洋風便器の便蓋に取り付けて使用する検査鏡、及び同検査鏡を取り付けた便座装置に関する。さらに詳しくは、局部に付着したペーパー屑のチェックや、局部に関する健康管理の用に供する検査鏡、及び同検査鏡を取り付けた便座装置に関するものである。
【背景技術】
【０００２】
常日頃の局部に関する健康チェックを目的として、便蓋の裏面に取り付けることができる検診鏡、及びその検診鏡を取り付けた便器が提案されている（特許文献１参照）。便蓋が起立した状態で、鏡面を正面に向けての固定または角度調整できるように取り付けたものである。この検診鏡を用いれば、個室であるトイレで、自身で局部を目視できるようになるので健康管理に対して大変有用である。ここでの局部とは肛門など股間を指す。
【０００３】
しかし、検診鏡の位置が起立した便蓋の高さで非常に高く、局部を目視するためには、強く前屈して、たまにある景勝地での股覗きの体勢をとらないと見えない、という不具合があり、その困難さに加えて、その体勢をとること自体に大きな抵抗感があった。また、頭を下方へ下げるので頭が鬱血状態となり、加えてその窮屈な体勢のために、ごく短時間しかその体勢を維持できず、局部に対する処置を行う場合には困難を伴った。さらに、腰痛や膝痛があると使用できないことや、洗浄／拭き取り後の局部に付着したペーパー屑を取り除く場合には、ペーパー屑を高い位置から落とすので便座上にも落ちて、便座を汚すことがあること、また便蓋に鏡面が正面を向いて取り付けられているために、不要な場合も意に反して映るので、鏡にカバーを取り付ける必要があり、コストと重量が増すという問題もあった。
【先行技術文献】
【特許文献】
【０００４】
【特許文献１】登録実用新案第３０２９７７２号公報
【発明の概要】
【発明が解決しようとする課題】
【０００５】
本発明は上記のような課題を解決するためになされたものであって、無理のない体勢で、見やすく、使いやすい便座用検査鏡、及び同検査鏡を備えた便座装置を提供することを目的としている。
【課題を解決するための手段】
【０００６】
前記課題を解決するための第１の発明は、洋風便器の便蓋への取り付け手段を備え、便蓋に取り付けて使用する検査鏡であって、便座が定位置で便蓋が開状態起立時に、便蓋の裏面に取り付けられた、鏡体を有する鏡板を、上部の係止部を外して、該鏡板下部の回動支点を中心に面方向に下方へ回動させると、該鏡板の前端拡幅部が便座の左右両翼に載置され、前記鏡体が前方に傾斜する上向きに設置される便座用検査鏡である。
【０００７】
上記の構成によれば、鏡板は、不使用時は便蓋内に格納されるが、使用時には鏡板が便座上に張り出して設置される。局部を目視するには腰を少し浮かした状態にするが、左右の大腿が下着と衣服によって拘束されていて、足が便器の前方寄りにあるため、身体のバランスをとるために自然と前傾姿勢になり、この状態で下方のやや後方を覗いて、前方に傾斜する鏡体を見ることにより、無理がなく抵抗感のない体勢で局部を目視することができる。また、頭が鬱血しないので局部への時間を要する処置も自由にできる。局部のペーパー屑を除去する際には、比較的低い位置からの処置となるので、鏡板の前方付近からペーパー屑を便器内へ落とすことができて、鏡板や便座を汚すことが少ない。また、鏡体が便蓋に裏向きに格納されるため、鏡体にカバーを取り付ける必要はない。ここでも局部とは肛門など股間を指す。便座の定位置とは、便器本体の上面に便座が載置された状態をいい、このときの便座の先端方向を「前方」としている。
【０００８】
第２の発明は、第１の発明において、前記鏡板は、弾性合成樹脂板に、前記鏡体としての弾性合成樹脂鏡、又はフィルム鏡を貼着した、若しくは弾性合成樹脂板に、蒸着にて前記鏡体を設けた該鏡板である、便座用検査鏡である。便座用検査鏡を使用中は、左右の大腿が下着と衣服によって拘束されている上に、足が便器の前方寄りにあるために身体のバランスを崩しやすい（特に高齢者）が、この構成によれば、使用中にバランスを崩して鏡板の上に座り込んでも、鏡板の背面が便座に当接するまで、鏡板と鏡体がたわむようにしておくことにより、使用者が怪我をすることがなく、安全に使用することができる。同じ理由で、鏡板によって便座を傷めることが少ない。また、起立時の便蓋は不安定であるが、本便座用検査鏡は薄型で軽量のため、操作時に便蓋の安定を損ねることが少なく、便蓋の閉動作時もソフト閉止装置の機能を低下させることが少ない。
【０００９】
第３の発明は、第１又は第２の発明における便座用検査鏡の、前記回動支点を軸支構造として、その軸側又は軸受側の部材を便蓋と一体にして便座用検査鏡を取り付けた便座装置である。この構成によれば、軸側を便蓋と一体にする場合では軸を支持する支持体を、また、軸受側を便蓋と一体にする場合では軸受を、あらかじめ決めた便蓋の最適な位置に備えることにより、便座用検査鏡の取り付け位置と使用状態での鏡板の設置角度を最良にすることができる。便座装置とは便器本体を別として、便座、便蓋、洗浄装置等が一体に組まれた装置である。
【発明の効果】
【００１０】
本発明によれば、無理のない体勢で、見やすく、使いやすい便座用検査鏡、及び同検査鏡を備えた便座装置を提供することができる。
【図面の簡単な説明】
【００１１】
【図１】第１実施形態に係る便座用検査鏡の使用状態を示す平面図である。
【図２】第１実施形態に係る便座用検査鏡の使用状態を示す右側面図である。
【図３】第１実施形態に係る便座用検査鏡の使用状態を示す正面図である。
【図４】第１実施形態に係る便座用検査鏡の格納状態を示す正面図である。
【図５】第１実施形態に係る便座用検査鏡の格納状態を示す部分拡大右側面図である。
【図６】第１実施形態に係る便座用検査鏡の、他のヒンジ部を示す右側面図である。
【図７】第２実施形態に係る便座装置付き検査鏡の格納状態を示す右側面図である。
【図８】第１、第２実施形態に係る便座用検査鏡の、他の鏡板・前端拡幅部を示す図である。
【発明を実施するための形態】
【００１２】
以下、本発明に係る実施形態について、図面に基づいて説明する。
【００１３】
（第１実施形態）
先ず図１、図２を用いて説明する。便器本体１に便座装置２が取り付けられた洋風便器であり、便器本体１の上面に便座３が載置されて、便蓋４が開状態で起立している。この便蓋４の裏面に便座用検査鏡５が取り付けられており、鏡板７が薄肉ヒンジ１１を中心に回動下降して便座３上に載置され、鏡板７が前方に傾斜する上向きに設置されている。同様に、鏡板7に貼着されている鏡体８も前方に傾斜する上向きとなっており、正に使用できる状態である。鏡板７の前端には前端拡幅部９が形設されていて、それが便座３の左右両翼に架かって載置され、鏡板７の設置される角度が決められている。鏡板７は弾性のある合成樹脂製とし、薄肉ヒンジ１１を設けることから、ポリプロピレン樹脂やポリエチレン樹脂を使用することが望ましい。
【００１４】
図３には便蓋４の裏面に取り付けられたベース板６が示されている。鏡板７の位置と使用角度を検討した上でベース板６の取り付け位置を決め、両面粘着テープ１０（図５）でベース板６を便蓋４に貼着する。第１実施形態でのベース板６の便蓋４への取り付け手段は両面粘着テープ１０であるが、接着剤にて接着して取り付けてもよいし、また、吸盤を用いて取り付けてもよい。
【００１５】
図４、図５は鏡板７の格納状態を示している。鏡板７が下方へ開いた使用状態から、薄肉ヒンジ１１を中心に鏡板７を上方へ回動させると、ベース板６の上端に形設されたマグネット台１２ｃ上のマグネット１２ｂに、鏡板７の上端(図５)に取り付けられた鉄片１２ａが吸着して、係止部１２により鏡板７が格納状態で固定される。便蓋４の裏面が湾曲して少し凹んでいて、鏡板７の前端拡幅部９の両端が便蓋４と接触しないようにするためと、操作時に指を挿入する必要があるため、マグネット１２ｂの鉄片１２ａとの係合面の位置を、マグネット台１２ｃによって嵩上げをしている。
【００１６】
尚、回動支点である薄肉ヒンジ１１は、図６に示すように軸１３と軸受１４を用いた軸支構造に変えてもよい。その場合の鏡板７は、ポリプロピレン樹脂、ポリエチレン樹脂以外の弾性合成樹脂製であってもよい。ベース板６についても合成樹脂を使用することが望ましい。
【００１７】
（第２実施形態）
図７では、軸受１４とマグネット台１２ｃを便蓋４と一体に成形して、便座用検査鏡５を取り付けている。第２実施形態はこの便座用検査鏡５と便蓋４、および便座３等が一体に組まれた便座装置２である。ここでは便座用検査鏡５を便蓋４に取り付けるためのベース板６（図６）が不要であり、また、便座装置２の組み立て時に便座用検査鏡５が取り付けられるため、使用者が取り付け位置を検討して取り付ける必要はない。図７では軸受１４が便蓋４と一体に成形されているが、これを、軸を取り付けるための支持体（図７、軸受１４と同様の図となる）を便蓋４と一体に成形してもよい。その場合、軸受は鏡板７側に設けられる。
【００１８】
（第１、第２実施形態共通）
鏡板７の前端拡幅部９は、図８に示すように棒状の形状としてもよい。
また、これらの実施形態では係止部１２にマグネット１２ｂと鉄片１２ａを用いているが、これを爪により係止する方法（不図示）に変えてもよい。
【符号の説明】
【００１９】
１  便器本体、    ２  便座装置、    ３  便座、    ４  便蓋、
５  便座用検査鏡、    ６  ベース板、    ７  鏡板、    ８  鏡体、
９  前端拡幅部、    １０  両面粘着テープ（取り付け手段）、
１１  薄肉ヒンジ（回動支点）、    １２  係止部、    １２ａ  鉄片、
１２ｂ  マグネット、    １２ｃ  マグネット台、    １３  軸、    １４  軸受
【図１】
2019195388.tif 000003
【図２】
2019195388.tif 000004
【図３】
2019195388.tif 000005
【図４】
2019195388.tif 000006
【図５】
2019195388.tif 000007
【図６】
2019195388.tif 000008
【図７】
2019195388.tif 000009
【図８】
2019195388.tif 000010